(57)【要約】【課題】利用者のニーズに合致したｗｅｂページに関する情報を効率よく提供することができる閲覧情報参照システム、閲覧情報参照プログラム及び閲覧情報参照プログラムを記録したコンピュータ読み取り可能な記録媒体を提供する。【解決手段】特定者がネットワーク４を介して閲覧したｗｅｂページについて経時的な履歴情報を抽出する抽出手段を備えた特定者端末１と、閲覧者がネットワーク４を介してｗｅｂページを閲覧するために用いる閲覧者端末３と、前記履歴情報を蓄積する蓄積手段２３、前記履歴情報に基づいて前記特定者を識別するための識別情報を付加した特定者毎の情報提供ページ情報を作成する作成手段２４を備えたサーバとを有することを特徴とする。【選択図】図１
2005018424.tif 000002
【特許請求の範囲】
【請求項１】
ネットワークを介して一の利用者がｗｅｂページを閲覧するために用いる特定者端末によって抽出された、前記一の利用者が閲覧したｗｅｂページに関する経時的な履歴情報を蓄積する蓄積手段、前記一の利用者を識別するための識別情報を付加した一の利用者毎の情報提供ページ情報を前記履歴情報に基づいて作成する作成手段、前記履歴情報を受信すると共に情報提供ページ情報をネットワークを介して他の利用者が用いる閲覧者端末のアクセスに応じ、送信する通信手段、及び前記情報提供ページを前記閲覧者端末の表示手段に各種情報を表示させる表示情報出力手段を備えたことを特徴とする情報提供サーバ。
【請求項２】
一の利用者がネットワークを介してｗｅｂページを閲覧するために用い、前記一の利用者が閲覧したｗｅｂページについて経時的な履歴情報を抽出する抽出手段を備えた特定者端末と、
他の利用者がネットワークを介してｗｅｂページを閲覧するために用いる閲覧者端末と、
前記履歴情報を蓄積する蓄積手段、前記一の利用者を識別するための識別情報を付加した一の利用者毎の情報提供ページ情報を前記履歴情報に基づいて作成する作成手段、前記履歴情報を受信すると共に情報提供ページ情報を前記閲覧者端末からのアクセスに応じ、送信する通信手段、及び前記情報提供ページを前記閲覧者端末の表示手段に各種情報を表示させる表示情報出力手段を備えたサーバと
を有することを特徴とする閲覧情報参照システム。
【請求項３】
前記抽出手段が前記履歴情報を前記サーバに送信することを特徴とする請求項２に記載の閲覧情報参照システム。
【請求項４】
前記サーバが特定者端末に対して前記履歴情報の送信を要求すると共に、送信された前記履歴情報を前記蓄積手段に蓄積することを特徴とする請求項２に記載の閲覧情報参照システム。
【請求項５】
ネットワークを介して一の利用者が閲覧したｗｅｂページに関する経時的な履歴情報を前記一の利用者が使用する特定者端末から受領する過程と、
前記一の利用者の識別情報を付加した一の利用者毎の経時的な情報提供ページを前記履歴情報に基づいて作成する情報提供ページ作成過程と、
前記情報提供ページを他の利用者が用いる閲覧者端末に、そのアクセスに応じてネットワークを介して送信させる提供過程とをサーバに機能させることを特徴とする閲覧情報参照プログラム。
【請求項６】
特定者端末に対して前記履歴情報の送信を要求すると共に、送信された前記履歴情報を前記蓄積手段に蓄積するようにサーバに機能させることを特徴とする請求項５に記載の閲覧情報参照プログラム。
【請求項７】
ネットワークを介して一の利用者が閲覧したｗｅｂページに関する経時的な履歴情報を抽出するように前記一の利用者が使用する特定者端末から受領する過程と、
前記一の利用者の識別情報を付加した一の利用者毎の経時的な情報提供ページを前記履歴情報に基づいて作成するようにサーバに機能させる提供ページ作成過程と、
前記情報提供ページを他の利用者が用いる閲覧者端末に、そのアクセスに応じてネットワークを介して送信するようにサーバに機能させる提供過程とを有することを特徴とする閲覧情報参照プログラムを記録したコンピュータ読み取り可能な記録媒体。
【請求項８】
特定者端末に対して前記履歴情報の送信を要求すると共に、送信された前記履歴情報を前記蓄積手段に蓄積するようにサーバに機能させることを特徴とする請求項７に記載の閲覧情報参照プログラムを記録したコンピュータ読み取り可能な記録媒体。
【発明の詳細な説明】
【０００１】
【発明の属する技術分野】
本発明は、インターネット上のｗｅｂページの検索サービスを効率よく利用者に提供する情報提供サーバ、閲覧情報参照システム、閲覧情報参照プログラム及び閲覧情報参照プログラムを記録したコンピュータ読み取り可能な記録媒体に関する。
【０００２】
【従来の技術】
近年、インターネット等のネットワークを用いることによって提供される情報は、様々な種類の情報があり、まさに玉石混淆の状態にある。特に、利用者がいわゆる検索エンジンを用いて所望のｗｅｂページを検索する場合においては、検索するためのキーワードの設定にある程度のスキルが必要であったため、利用者の誰もが効率的に検索することができるとは言い難かった。
【０００３】
そこで、利用者側にある程度のスキルを求めることなく、ｗｅｂページを効率的に検索、閲覧することができるシステムとして、特定のｗｅｂページについてアクセスしてきた利用者の個別情報を取得し、係る個別情報を利用者が検索しやすいｗｅｂページとなるように反映させるための資源情報として活用するｗｅｂページの閲覧履歴システムが提案されている（例えば、特許文献１参照。）。
【０００４】
【特許文献１】
特開２００２−９１８５２号公報（段落〔００１７〕−〔００９９〕、第１図）
【０００５】
【発明が解決しようとする課題】
しかしながら、特許文献１に記載の技術は、不特定多数の利用者によって特定のｗｅｂページがどの程度閲覧されているかを統計したものに過ぎないので、そのようにして得られた情報に基づいて利用者にとって最適なｗｅｂページを検索・閲覧するためのシステムとしては改善の余地があった。
【０００６】
本発明は上記問題点を鑑みてなされたものであり、本発明の目的は、利用者のニーズに合致したｗｅｂページに関する情報を効率よく提供することができる情報提供サーバ、閲覧情報参照システム、閲覧情報参照プログラム及び閲覧情報参照プログラムを記録したコンピュータ読み取り可能な記録媒体を提供することである。
【０００７】
【課題を解決するための手段】
上記課題を解決するための、請求項１記載の発明に係る情報提供サーバは、ネットワークを介して一の利用者がｗｅｂページを閲覧するために用いる特定者端末によって抽出された、前記一の利用者が閲覧したｗｅｂページに関する経時的な履歴情報を蓄積する蓄積手段、前記一の利用者を識別するための識別情報を付加した一の利用者毎の情報提供ページ情報を前記履歴情報に基づいて作成する作成手段、前記履歴情報を受信すると共に情報提供ページ情報をネットワークを介して他の利用者が用いる閲覧者端末のアクセスに応じ、送信する通信手段、及び前記情報提供ページを前記閲覧者端末の表示手段に各種情報を表示させる表示情報出力手段を備えたことを特徴とする。
【０００８】
係る構成とすることにより、前記一の利用者が閲覧したｗｅｂページについて編集された情報提供ページを前記他の利用者が閲覧者端末を用いて閲覧することができるので、他の利用者は前記一の利用者を選択することによって特別なスキルを要することなく有用なｗｅｂページを閲覧することができる。
【０００９】
上記課題を解決するための、請求項２記載の発明に係る閲覧情報参照システムは、一の利用者がネットワークを介してｗｅｂページを閲覧するために用い、前記一の利用者が閲覧したｗｅｂページについて経時的な履歴情報を抽出する抽出手段を備えた特定者端末と、他の利用者がネットワークを介してｗｅｂページを閲覧するために用いる閲覧者端末と、前記履歴情報を蓄積する蓄積手段、前記一の利用者を識別するための識別情報を付加した一の利用者毎の情報提供ページ情報を前記履歴情報に基づいて作成する作成手段、前記履歴情報を受信すると共に情報提供ページ情報を前記閲覧者端末からのアクセスに応じ、送信する通信手段、及び前記情報提供ページを前記閲覧者端末の表示手段に各種情報を表示させる表示情報出力手段を備えたサーバと
を有することを特徴とする。
【００１０】
係る構成とすることにより、前記一の利用者が閲覧したｗｅｂページについて編集された情報提供ページを前記他の利用者が閲覧者端末を用いて閲覧することができるので、他の利用者は前記一の利用者を選択することによって特別なスキルを要することなく有用なｗｅｂページを閲覧することができる。
【００１１】
上記課題を解決するための、請求項３記載の発明に係る閲覧情報参照システムは、請求項２に記載の閲覧情報参照システムにおいて、前記抽出手段が前記履歴情報を前記サーバに送信することを特徴とする。
【００１２】
係る構成とすることにより、特定者が所定のｗｅｂページの閲覧を行ったことを契機にして前記履歴情報を前記サーバに送信することができるので、前記特定者の閲覧の動向が判断しやすい。
【００１３】
上記課題を解決するための、請求項４記載の発明に係る閲覧情報参照システムは、請求項２に記載の閲覧情報参照システムにおいて、前記サーバが特定者端末に対して前記履歴情報の送信を要求すると共に、送信された前記履歴情報を前記蓄積手段に蓄積することを特徴とする。
【００１４】
係る構成のように、例えば所定時間ごとに前記履歴情報を送信するようにサーバから特定者端末に対して要求することによって、情報提供ページを構成する各種情報の取得についてサーバで制御することができる。
【００１５】
上記課題を解決するための、請求項５記載の発明に係る閲覧情報参照プログラムは、ネットワークを介して一の利用者が閲覧したｗｅｂページに関する経時的な履歴情報を前記一の利用者が使用する特定者端末から受領する過程と、前記一の利用者の識別情報を付加した一の利用者毎の経時的な情報提供ページを前記履歴情報に基づいて作成する情報提供ページ作成過程と、前記情報提供ページを他の利用者が用いる閲覧者端末に、そのアクセスに応じてネットワークを介して送信させる提供過程とをサーバに機能させることを特徴とする。
【００１６】
従って、前記一の利用者が閲覧したｗｅｂページについて編集された情報提供ページを前記他の利用者が閲覧者端末を用いて閲覧することができるので、他の利用者は前記一の利用者を選択することによって特別なスキルを要することなく有用なｗｅｂページを閲覧することができる。
【００１７】
上記課題を解決するための、請求項６記載の発明に係る閲覧情報参照プログラムは、請求項５に記載の閲覧情報参照プログラムにおいて、特定者端末に対して前記履歴情報の送信を要求すると共に、送信された前記履歴情報を前記蓄積手段に蓄積するようにサーバに機能させることを特徴とする。
【００１８】
従って、例えば所定時間ごとに前記履歴情報を送信するようにサーバから特定者端末に対して要求することによって、情報提供ページを構成する各種情報の取得についてサーバで制御することができる。
【００１９】
上記課題を解決するための、請求項７記載の発明に係る閲覧情報参照プログラムを記録したコンピュータ読み取り可能な記録媒体は、ネットワークを介して一の利用者が閲覧したｗｅｂページに関する経時的な履歴情報を抽出するように前記一の利用者が使用する特定者端末から受領する過程と、前記一の利用者の識別情報を付加した一の利用者毎の経時的な情報提供ページを前記履歴情報に基づいて作成するようにサーバに機能させる提供ページ作成過程と、前記情報提供ページを他の利用者が用いる閲覧者端末に、そのアクセスに応じてネットワークを介して送信するようにサーバに機能させる提供過程とを有することを特徴とする。
【００２０】
従って、前記一の利用者が閲覧したｗｅｂページについて編集された情報提供ページを前記他の利用者が閲覧者端末を用いて閲覧することができるので、他の利用者は前記一の利用者を選択することによって特別なスキルを要することなく有用なｗｅｂページを閲覧することができる。
【００２１】
上記課題を解決するための、請求項８記載の発明に係る閲覧情報参照プログラムを記録したコンピュータ読み取り可能な記録媒体は、請求項７に記載の閲覧情報参照プログラムを記録したコンピュータ読み取り可能な記録媒体において、特定者端末に対して前記履歴情報の送信を要求すると共に、送信された前記履歴情報を前記蓄積手段に蓄積するようにサーバに機能させることを特徴とする。
【００２２】
従って、例えば所定時間ごとに前記履歴情報を送信するようにサーバから特定者端末に対して要求することによって、情報提供ページを構成する各種情報の取得についてサーバで制御することができる。
【００２３】
【発明の実施の形態】
以下、本発明の実施の形態について説明する。
【００２４】
図１は、本発明に係る閲覧情報参照システムの一実施の形態における構成を示す図である。
【００２５】
図１に示すように、本実施形態における閲覧情報参照システムは、一の利用者（以下、特定者とする。）が使用する特定者端末１と、他の利用者（以下、閲覧者とする。）が使用する閲覧者端末３と、特定者端末１によって特定者が閲覧したｗｅｂページに関する情報を閲覧者に提供するサーバ２とがネットワーク４に接続されてなる。ネットワーク４は具体的にはインターネットである。
【００２６】
特定者端末１は、ネットワーク４を介して各種情報を送受信する通信手段であるネットワークＩＦ（インターフェース）１１と、前記各種情報を表示するための表示手段１３と、特定者がネットワーク４を介して閲覧したｗｅｂページに関する情報（以下、履歴情報とする。）を経時的に抽出する抽出手段１４と、前記履歴情報を格納する蓄積手段１５とを有している。また、ネットワークＩＦ１１、表示手段１３、抽出手段１４及び蓄積手段１５を制御するための制御手段であるＣＰＵ１２を有している。
【００２７】
サーバ２は、前記履歴情報を蓄積する蓄積手段２３と、前記履歴情報に基づいて前記一の利用者を識別するための識別情報を付加した一の利用者毎の情報提供ページを作成する作成手段２４と、少なくとも前記履歴情報を受信すると共に情報提供ページ情報を閲覧者端末３に送信する通信手段であるネットワークＩＦ２１と、前記情報提供ページを閲覧者端末３の表示手段３３に各種情報を表示させる表示情報出力手段２５とを有している。また、蓄積手段２３、作成手段２４、ネットワークＩＦ２１及び表示情報出力手段２５を制御するための制御手段であるＣＰＵ２２を有している。
【００２８】
閲覧者端末３は、ネットワーク４を介して各種情報を送受信する通信手段であるネットワークＩＦ３１と、前記各種情報を表示するための表示手段３３と、ネットワークＩＦ３１及び表示手段３３を制御するための制御手段であるＣＰＵ３２とを有している。
【００２９】
ここで、蓄積手段２３に蓄積される前記履歴情報は、所定のｗｅｂページを特定者が閲覧したときの日付、カテゴリ及び当該ｗｅｂページアドレスを少なくとも含む情報である。また、この履歴情報には特定者の個人情報（名前、職業等）及びその特定者がいかなる分野について専門的知識を有するかを示す専門分野情報を含む識別情報も付帯されている。
【００３０】
抽出手段１４は、特定者が特定者端末１を利用してｗｅｂページを閲覧した際に、当該ｗｅｂページに関する情報を抽出する手段であり、具体的には、特定者が閲覧したｗｅｂページのアドレス、当該ｗｅｂページを特定者が閲覧した日時及び当該ｗｅｂページに記載された内容を示すソース情報からなる情報（以下、履歴情報とする）を抽出する手段である。尚、この抽出手段によって抽出された履歴情報の送受信については、特定者とサーバ２を管理する者との間で予め契約がなされているものとする。
【００３１】
作成手段２４は、閲覧者に提供する情報提供ページを作成するために、経時的に特定者が閲覧したｗｅｂページのアドレス及び当該ｗｅｂページに記載されたカテゴリを関連付けした情報を表示するための情報提供ページを作成する手段である。前記情報提供ページは、具体的に、特定者名、その特定者の専門とする分野、当該特定者が閲覧したｗｅｂページのアドレス一覧、各ｗｅｂページを当該特定者が閲覧した日時、各ｗｅｂページを当該特定者が閲覧した時間、各ｗｅｂページを当該特定者が閲覧した回数及び各ｗｅｂページのカテゴリが関連付けされている。
【００３２】
次に、本発明に係る閲覧情報参照システムの一実施の形態における動作について図面を参照して説明する。
【００３３】
本発明に係る閲覧情報参照システムの一実施の形態における動作は、特定者が閲覧したｗｅｂページに関する履歴情報を抽出する「抽出過程」と、閲覧者に提供するための情報を作成する「作成過程」と、その作成過程において作成された情報提供ページを閲覧者に提供するための「提供過程」とに分けられる。
【００３４】
まず、図２に示すように、特定者端末１を用いて特定者がネットワーク（インターネット）に接続する（Ｓ１）。そして、いわゆる検索エンジン等を用いて所望のｗｅｂページを閲覧する（Ｓ２）。
【００３５】
（抽出過程）
抽出過程は、特定者が閲覧したｗｅｂページについて、特定者端末１に設けられた抽出手段１４が当該ｗｅｂページにアクセスした時刻と、当該ｗｅｂページのアドレスと、当該ｗｅｂページに記載された内容を示すソース情報を抽出する過程である（Ｓ３）。
【００３６】
その後、前記履歴情報は、特定者端末１からサーバ２に送信される（Ｓ４）。このとき、前記履歴情報をサーバ２に送信するタイミングは所定時間毎に行われてもよいし、前記履歴情報の情報量が所定量に達したときに行われてもよい。さらには、特定者が前記履歴情報を自ら確認して当該履歴情報を送信したい場合もありうるので、このような特定者の明示的な送信要求に基いて送信されてもよい。
【００３７】
そして、特定者端末１を用いて特定者がまだ閲覧するｗｅｂページがあれば（Ｓ５−Ｙｅｓ）、上記Ｓ２のようなｗｅｂページの閲覧を再び行い、特定者がｗｅｂページの閲覧を終了する場合には（Ｓ５−Ｎｏ）、そのまま特定者端末１による操作は終了する。
【００３８】
（作成過程）
作成過程は、蓄積手段２３に蓄積された履歴情報を、特定者が閲覧したｗｅｂページのカテゴリ、そのｗｅｂページに当該特定者がアクセスしていた時刻や時間、前記ｗｅｂページのアドレス及び当該ｗｅｂページの固有のポイントの各項目について特定者毎にまとめられた、閲覧者に提供するための情報提供ページのソースを作成する過程である（Ｓ６）。具体的には、図３に示すような、特定者名、特定者の専門分野、閲覧開始時刻、閲覧されていた時間（期間）についてそれぞれポイントが付されたテーブルとして蓄積手段に蓄積される（Ｓ７）。
【００３９】
（情報提供過程）
情報提供過程は、閲覧者端末３からの要求（Ｓ８）に応じて、前記作成過程によって作成された提供情報を当該閲覧者端末３に提供する過程であり、閲覧者端末３がサーバ２にアクセスした際に表示された内容に対し、閲覧者端末３によって入力された条件に基いて蓄積手段から適切な提供情報を送信する（Ｓ９）ものである。そして、このようにして送信された提供情報は、表示手段３３に表示される（Ｓ１０）。
【００４０】
次に、閲覧者端末３がサーバ２にアクセスした際に表示手段３３に表示される内容について図４及び図６を参照して以下に説明する。
【００４１】
図４に示すように、閲覧者が閲覧者端末３を用いてサーバ２にアクセスすると、「情報提供ページ」１００が表示される。具体的にこの「情報提供ページ」１００は、「キーワード入力領域」１０１と、検索分野を選択する「検索分野」項目１０２と、検索期間を設定する「検索期間」項目１０３と、ソートする項目を前述の「ユーザポイント」、「専門家ポイント」、「アクセスカウント」及び「トピックポイント」から選択する「ソート」項目群１０４と、特定者の名称によって検索したい場合に入力する「専門家」項目１０５と、検索を実行する「検索」ボタン１０６とが表示される。ここで、「検索分野」項目１０２は、前述の特定者の専門分野に対応して予め設定されている項目である。図示された「検索分野」は、提供される情報の対象が医療関係であった場合であり、「臨床医学」や、「東洋医学」や、「内科一般」や、「消化器内科」等を選択できるように設定されている。
【００４２】
ここで、前記各項目について説明すると、「特定者名」及び「特定者の専門とする分野」は前述したように前記識別情報に含まれている特定者固有の情報である。
「検索分野」は、前記履歴情報内の分野を決定付ける文字情報を検出し、各ｗｅｂページがどのような分野について記載されたｗｅｂページなのかを識別するポイントである。
「専門家ポイント」は、ｗｅｂページポイントに特定者のアクセス回数や、アクセスした特定者の数により算出されるポイントであり、当該ポイントが高いことによって有益な情報である可能性が高いことが判別できる。ここで、前記ｗｅｂページポイントとは、各ｗｅｂページに記載されたソース情報中の文字列を参照して用語の出現率などを所定のポイントとしてＣＰＵ２２が算出するものである。また、ＣＰＵ２２は、専門分野毎（例えば臨床医学等）に辞書を持たせて用語比較してｗｅｂページポイントを算出してもよい。さらに、本実施形態における「特定者」と「専門家」とは同義である。
【００４３】
「ユーザポイント」は、一般的なｗｅｂページの人気度を示すものであり、ｗｅｂページポイントと履歴情報内の同一のｗｅｂページアドレスを元に算出されたユーザのアクセス回数を示すポイントである。すなわち、当該ポイントが高ければ一般のユーザに人気があるｗｅｂページである可能性が高いことがわかる。
【００４４】
「アクセスカウント」は、特定者が所定のｗｅｂページにアクセスした回数を示すものであり、当該カウント値が高ければ特定者が何度もよく見るｗｅｂページであると共に、有益なｗｅｂページである可能性が高いことが判別できる。
【００４５】
「トピックポイント」は、経時的な専門家ポイントの推移、すなわち、所定の検索期間の始めと終わりの専門家ポイントの差を示すものである。例えば、短い検索期間で専門家ポイントの変化が大きければ、最近話題になっている分野に関するｗｅｂページである可能性が高いことが判定できる。
【００４６】
ここで、トピックポイントの具体的な例について図５を参照して説明すると、専門家ポイントの挙動、すなわち経時的な専門家ポイントの推移には、（ａ）恒常的な挙動、（ｂ）急な上昇を示す挙動、（ｃ）ゆるやかな上昇を示す挙動といった３つの挙動が考えられる。（専門家ポイントの下降は除く。）
【００４７】
図５（ａ）のように、恒常的な挙動を示し、かつ高いトピックポイントを維持しているｗｅｂページは有益な情報を持つｗｅｂページだと考えられる。また、図５（ｂ）のように、急な上昇を示すｗｅｂページは、話題性があり新しい情報を含むｗｅｂページだと考えられる。さらに、図５（ｃ）のように、ゆるやかな上昇を示すｗｅｂページは、平均的な情報を含むｗｅｂページだと考えられる。加えて、トピックポイントは、検索期間の始めと終わりの専門家ポイントの差であるため、図５（ｂ）のように値が大きくなり話題性を持つ新しい情報だと考えられる。但し、長い検索期間におけるこのようなトピックポイントの推移を示す場合では、このような判断はしないこととする。
【００４８】
図４に示す画面に対し、閲覧者は「検索分野」、「検索期間」、「ソート」項目群及び専門家名のうち、少なくともいずれかを選択して「検索」ボタンをクリックする。選択された項目は、蓄積手段２３に格納された前記テーブルを参照して図６に示す情報提供ページのように表示手段３３に表示される。例えば図６に示す情報提供ページは、閲覧者が「ユーザポイント」をソート対象として検索した結果であり、「ユーザポイント」の高い順にｗａｂページが列挙されている。このとき、「ユーザポイント」以外のソート要件の優先順位は「専門家ポイント」、「アクセス回数」、「トピックポイント」の順になっているので、同じポイントを取得したｗｅｂページは下位のソート要件のポイント数に依存して表示される。また、閲覧者が図４に示す情報提供ページで「専門家名」を入力した場合は、その専門家名があればそれに対応する特定者が閲覧したｗｅｂページについて情報提供ページを表示する。ここで、特定者の専門とする分野と「選択分野」とは必ずしも一致するとは限らない（特定者が自己の専門とする分野のｗｅｂページを常時閲覧しているとは限らない）ので、図４の情報提供ページにおいて「専門家名」を入力し、かつ該当する特定者の専門とする分野を「検索分野」において設定すれば、当該分野の専門家たる特定者が閲覧する最適なｗｅｂページを検索することができる。
【００４９】
本発明に係る閲覧情報参照プログラムは、以上に説明した閲覧情報参照システムを用いた動作をプログラムとして構成したものであり、その実施の形態は、履歴情報を抽出する過程を特定者端末に機能させると共に、前記履歴情報に基づいて情報提供ページを作成する機能をサーバ２に機能させるものである。
【００５０】
また、本発明に係る閲覧情報参照プログラムを記録したコンピュータ読み取り可能な記録媒体は、以上に説明した閲覧情報参照システムを用いた動作がプログラムとして構成されたものを記録媒体に記録し、その記録媒体の内容をコンピュータに読みとらせ、実行させるものである。従って、その実施の形態は、履歴情報を抽出する過程を特定者端末に機能させると共に、前記履歴情報に基づいて情報提供ページを作成する機能をサーバ２に機能させるものである。
【００５１】
（他の実施形態）
本発明の他の実施形態として、前記履歴情報が特定者端末１からサーバ２に送信される過程が、サーバ２からの要求によって行われてもよい。具体的には、前記履歴情報を得た特定者端末１は、ＣＰＵによって前記履歴情報が蓄積手段１５に格納され、サーバ２から前記履歴情報の送信要求を受けた場合に、蓄積手段１５に格納された前記履歴情報の一部又は全部をサーバ２に送信するものである。このようにすることにより、閲覧者に提供する情報の作成対象となる履歴情報をサーバ２からの操作によって制御することができる。
【００５２】
【発明の効果】
以上説明したように、本願発明によれば、閲覧者が所望のｗｅｂページを得たい場合に、特定者を設定することを要件とし、その特定者が閲覧したｗｅｂページに関する情報を抽出し、それを適正に選別して閲覧者に提供するようにしたので、閲覧者にとって有益な情報を効率よく提供することができる。特に、特定者が著名な研究者などである場合、閲覧者が注目すべき最新の技術情報を効率的に取得することができるので、最新の技術情報を多くの閲覧者が共有することができ、結果として技術の向上に寄与することができる。
【００５３】
すなわち、前記提供情報が閲覧者端末３に送信されることによって以下のような情報を閲覧者に提供することができる。
▲１▼有益なｗｅｂページ（希望する情報が掲載されているページ）
▲２▼多くのユーザが閲覧するｗｅｂページ
▲３▼有名な特定者が閲覧しているｗｅｂページ
▲４▼有名な特定者がある期間（ここ１週間など）に閲覧したｗｅｂページ
▲５▼有名な特定者がよく閲覧するｗｅｂページ
▲６▼話題を集めてあるｗｅｂページ（話題の先取り）
▲７▼多くの特定者が閲覧するｗｅｂページ
【図面の簡単な説明】
【図１】本発明に係る閲覧情報参照システムの実施形態における構成を示す図。
【図２】本発明に係る閲覧情報参照システムの一実施形態における動作を示すフローチャート。
【図３】本発明に係る閲覧情報参照システムの実施形態において閲覧者に提供される情報提供ページのソースデータの概要を示す図。
【図４】本発明に係る閲覧情報参照システムの実施形態における閲覧者端末の表示手段に表示される画面構成を示す図。
【図５】本発明に係る閲覧情報参照システムの実施形態において閲覧者に提供する履歴情報の概要を示す図。
【図６】本発明に係る閲覧情報参照システムの実施形態における閲覧者端末の表示手段に表示される画面構成を示す図。
【符号の説明】
１  特定者端末
２  サーバ
３  閲覧者端末
４  ネットワーク
１１  ネットワークＩ／Ｆ
１２  ＣＰＵ
１３  表示手段
１４  抽出手段
２１  ネットワークＩ／Ｆ
２２  ＣＰＵ
２３  蓄積手段
２４  作成手段
３１  ネットワークＩ／Ｆ
３２  ＣＰＵ
３３  表示手段
【図１】
2005018424.tif 000003
【図２】
2005018424.tif 000004
【図３】
2005018424.tif 000005
【図４】
2005018424.tif 000006
【図５】
2005018424.tif 000007
【図６】
2005018424.tif 000008